(57)【要約】      （修正有）【課題】例えば本のように開閉可能にして情報を閲覧することができるとともに、立設させたときの安定性も維持することができる情報表示媒体を提供する。【解決手段】表紙部１４と、裏表紙部１６と、表紙部１４と裏表紙部１６に接続するシート部１８と、を有し、シート部１８が全体として蛇腹状に形成された情報表示媒体であって、情報表示媒体１０が立設した状態で水平方向に延びる中心線ＭＬよりも下側に重心位置ＧＴを位置させるための重心位置偏移手段２６を設けた。重心位置偏移手段２６は、中心線ＭＬを基準として上下の部分で質量を異ならせるための質量調整手段２７、又は中心線ＭＬを基準として上下の部分で形状を異ならせるための形状調整手段２９であり、質量調整手段２７又は形状調整手段２９は、切欠き部２８又は開口部である。【選択図】図１
0003216351.tif 000002
【実用新案登録請求の範囲】
【請求項１】
表紙部と、裏表紙部と、前記表紙部と前記裏表紙部に接続するシート部と、を有し、前記シート部が全体として蛇腹状に形成された情報表示媒体であって、
前記情報表示媒体が立設した状態で水平方向に延びる中心線よりも下側に重心位置を位置させるための重心位置偏移手段を設け、
前記重心位置偏移手段は、前記中心線を基準として上下の部分で質量を異ならせるための質量調整手段、又は前記中心線を基準として上下の部分で形状を異ならせるための形状調整手段であり、
前記質量調整手段又は前記形状調整手段は、切欠き部又は開口部であり、
前記表紙部及び前記裏表紙部の各々の厚み寸法が、前記シート部の厚み寸法の５倍以上１０倍以下に設定されていることを特徴とする情報表示媒体。
【請求項２】
前記表紙部又は前記裏表紙部は、情報媒体を挿入可能なポケット部を設け、
前記ポケット部は、前記情報表示媒体が立設した状態で水平方向に延びる中心線よりも下側に位置し、
前記ポケット部が、前記重心位置偏移手段であることを特徴とする請求項１に記載の情報表示媒体。
【考案の詳細な説明】
【技術分野】
【０００１】
本考案は、所定の情報を表示するための情報表示媒体に係り、特にノートやアルバムなどの情報表示媒体を安定して立設可能な情報表示媒体に関する。
【背景技術】
【０００２】
従来では、記録紙を蛇腹状に折り曲げて作製する写真アルバムが知られている（下記特許文献１参照）。
【先行技術文献】
【特許文献】
【０００３】
【特許文献１】特開２００７−２５３５７４号公報
【特許文献２】実開平７−３５０５２号公報
【考案の概要】
【考案が解決しようとする課題】
【０００４】
しかしながら、従来の写真アルバムを立設しようとしても、強度不足があり、安定して立設させることができなかった。
【０００５】
そもそも、従来の写真アルバムには、立設した状態でインテリアとして飾ることを意図するものではなかった。
【０００６】
そこで、本考案は、上記問題に鑑み、例えば本のように開閉可能にして情報を閲覧することができるとともに、立設させたときの安定性も維持することができる情報表示媒体を提供することを目的とする。
【課題を解決するための手段】
【０００７】
本考案は、表紙部と、裏表紙部と、前記表紙部と前記裏表紙部に接続するシート部と、を有し、前記シート部が全体として蛇腹状に形成された情報表示媒体であって、前記情報表示媒体が立設した状態で水平方向に延びる中心線よりも下側に重心位置を位置させるための重心位置偏移手段を設けたことを特徴とする。
【０００８】
前記重心位置偏移手段は、前記中心線を基準として情報表示媒体の上下の部分で質量を異ならせるための質量調整手段であることが好ましい。
【０００９】
前記重心位置偏移手段は、前記中心線を基準として情報表示媒体の上下の部分で形状を異ならせるための形状調整手段であることが好ましい。
【００１０】
前記質量調整手段又は前記形状調整手段は、切欠き部又は開口部であることが好ましい。
【００１１】
前記表紙部又は前記裏表紙部は、厚み方向に関する貫通孔と、前記貫通孔の開口部の一方を塞ぐポケット部と、を有し、前記ポケット部に情報媒体を挿入可能にしたことが好ましい。
【００１２】
前記ポケット部が、前記重心位置偏移手段であることが好ましい。
【００１３】
前記表紙部及び前記裏表紙部の厚み寸法が、前記シート部の厚み寸法の５倍以上１０倍以下に設定されていることが好ましい。
【００１４】
前記表紙部及び前記裏表紙部は、相互に固定可能な位置決め手段を有することが好ましい。
【考案の効果】
【００１５】
本考案によれば、表紙部と、裏表紙部と、表紙部と裏表紙部に接続するシート部と、を有し、シート部が全体として蛇腹状に形成された情報表示媒体であって、情報表示媒体が立設した状態で水平方向に延びる中心線よりも下側に重心位置を位置させるための重心位置偏移手段を設けたことにより、情報表示媒体の重心位置が低くなり、安定して立設させることができる。特に、全体として蛇腹状に構成されているため、強度不足で不安定になりがちであるが、重心位置を制御することで立設時の安定性を実現できる。
【００１６】
前記重心位置偏移手段が、前記中心線を基準として情報表示媒体の上下の部分で質量を異ならせるための質量調整手段であることにより、情報表示媒体の重心位置を容易に偏移させることができる。
【００１７】
前記重心位置偏移手段は、前記中心線を基準として情報表示媒体の上下の部分で形状を異ならせるための形状調整手段であることにより、情報表示媒体の重心位置を容易に偏移させることができる。
【００１８】
また、前記質量調整手段又は前記形状調整手段は、切欠き部又は開口部であることにより、切欠き部又は開口部によって容易にその部分の質量を削減できる。また、部品点数が増加せず、低コストを実現できる。
【００１９】
また、表紙部又は裏表紙部は、厚み方向に関する貫通孔と、貫通孔の開口部の一方を塞ぐポケット部と、を有し、ポケット部に情報媒体を挿入可能にしたことにより、ポケット部に情報媒体を挿入することで表紙部又は裏表紙部に所定の情報を表示させることができる。また、情報媒体を差し替えることにより、様々な種類の情報を表示できる。
【００２０】
また、ポケット部が重心位置偏移手段であることにより、情報媒体の収納機能と重心位置偏移機能を兼備させることができる。この結果、部品点数を削減できる。
【００２１】
また、表紙部及び裏表紙部の厚み寸法が、シート部の厚み寸法の５倍以上１０倍以下に設定されていることにより、表紙部及び裏表紙部の設置面に対する設置面積が大きくなる。これにより、情報表示媒体の立設状態の安定性が向上する。
【００２２】
また、表紙部及び裏表紙部は、相互に固定可能な位置決め手段を有することにより、表紙部と裏表紙部との間が不意に開かず、その状態が維持される。また、情報表示媒体が立設した状態で、その姿勢を維持できる。
【図面の簡単な説明】
【００２３】
【図１】本考案の第１実施形態に係る情報表示媒体の斜視図である。
【図２】本考案の第１実施形態に係る情報表示媒体の立設した状態の正面側及び背面側から見た図である。
【図３】本考案の第１実施形態に係る情報表示媒体の蛇腹を開閉した状態を底面側から見た図である。
【図４】本考案の第２実施形態に係る情報表示媒体の構成図である。
【図５】本考案の第３実施形態に係る情報表示媒体の構成図である。
【考案を実施するための形態】
【００２４】
本考案の第１実施形態に係る情報表示媒体について説明する。第１実施形態では、情報表示媒体の一例としてアルバムを例に挙げて説明するが、アルバムに限定されるものではなく、例えば、ノートその他の文具類及びおもちゃに属するすべてのものが含まれる。
【００２５】
図１乃至図３に示すように、情報表示媒体１０であるアルバム１２は、表紙部１４と、裏表紙部１６と、表紙部１４と裏表紙部１６に接続するシート部１８と、を有し、シート部１８が山折りと谷折りを交互に繰り返して全体として蛇腹折りに形成されている。
【００２６】
表紙部１４は、厚紙等で構成され、所定の厚み寸法を有し、所定の強度を有している。図２に示すように、表紙部１４の厚み寸法Ｘは、シート部１８の厚み寸法Ｙの５倍以上１０倍以下の範囲に設定されていることが好ましい。このため、表紙部１４は、シート部１８と比較して高い強度を有し、アルバム１２が立設した状態の設置面に対する設置面積が大きくなる。
【００２７】
アルバム１２が立設した状態とは、図２に示すように、アルバム１２の設置面積の少ない部位（例えば、表紙部１４と裏表示部１６の底面）で立たせた状態を意味する。このとき、シート部１８が蛇腹状に形成されているため、シート部１８の端面も設置面に設置し、立設したときの安定性が向上する。
【００２８】
表紙部１４には、所定の情報、例えば写真や紙などの情報媒体を保持する構造を有していてもよく、また表面に所定のデザインを描くなどして、装飾性を高めることができる。
【００２９】
表紙部１４は、厚み方向に関する貫通孔２０と、裏側に貫通孔２０の開口部の一方を塞ぐポケット部２２と、を有している。ポケット部２２に写真や紙などの情報媒体を挿入可能にしたことにより、ポケット部２２に情報媒体２４を挿入するだけで貫通孔２０を通して表紙部１４に所定の情報を表示させることができる。また、情報媒体２４を差し替えることにより、様々な種類の情報を表示できる。
【００３０】
なお、裏表紙部１６にも同様の構造を有していてもよいが、本実施形態では説明の便宜上、省略する。
【００３１】
ポケット部２２の主要部分は、アルバム１２の重心位置を後述する中心線ＭＬよりも下側の位置に設けられている。このため、貫通孔２０が形成されていてもポケット部２２でその部分の質量を増すことができる。
【００３２】
なお、ポケット部２２の構成と名称は特に限定されるものではない。例えば、所定の情報媒体を収納することができる収納部であればよい。収納部自体には、質量を有するものであるため、後述する重心位置偏移手段２６としての機能を兼備したものになる。
【００３３】
裏表紙部１６は、厚紙等で構成され、所定の厚み寸法を有し、所定の強度を有している。図２に示すように、裏表紙部１６の厚み寸法Ｚは、シート部１８の厚み寸法Ｙの５倍以上１０倍以下の範囲に設定されていることが好ましい。このため、裏表紙部１６は、シート部１８と比較して高い強度を有し、アルバム１２が立設した状態の設置面に対する設置面積が大きくなる。
【００３４】
裏表紙部１６には、所定の情報、例えば写真や紙などを保持する構造を有していてもよく、また表面に所定のデザインを描くなどして、装飾性を高めることができる。
【００３５】
ここで、アルバム１２、具体的には表紙部１４、裏表紙部１６及びシート部１８には、アルバム１２が立設した状態で水平方向に延びる中心線ＭＬよりも下側に重心位置ＧＴを位置させるための重心位置偏移手段２６が設けられている。
【００３６】
なお、重心位置偏移手段２６は、表紙部１４、裏表紙部１６又はシート部１８の少なくともいずれか１つに形成されていてればよい。
【００３７】
中心線ＭＬとは、図２に示すようにアルバム１２が立設した状態で高さ方向の中点を通って、水平方向に延びた直線を意味する。
【００３８】
重心位置ＧＴには、アルバム１２全体としての全体重心位置という意味である。
【００３９】
すなわち、図２に示すように、表紙部１４、裏表紙部１６及びシート部１８の各単体の全ての単体重心位置Ｇ１〜Ｇ６が中心線ＭＬよりも下側に位置している構成だけではなく、各単体のいずれかの単体重心位置Ｇ１〜Ｇ６が中心線ＭＬよりも上側に位置していても、アルバム全体としての重心位置ＧＴが中心線ＭＬよりも下側に位置すればよく、アルバム１２が立設したときの安定性が増加する。
【００４０】
重心位置偏移手段２６として、中心線ＭＬを基準としてアルバム１２の上下の部分で質量を異ならせるための質量調整手段２７（図1参照、図２では図示省略）で構成されていることにより、重心位置偏移手段２６を容易に形成することができ、アルバム１２の重心位置ＧＴを容易に偏移させることができる。
【００４１】
具体的には、質量調整手段２７は、中心線ＭＬを基準としてアルバム１２の下側の部位の質量が上側の部位の質量よりも大きくなるように、アルバム１２の中心線ＭＬの上下で質量を調整する。このため、アルバム１２の重心位置ＧＴが中心線ＭＬよりも下側に位置することになる。
【００４２】
重心位置偏移手段２６として、前記中心線ＭＬを基準としてアルバム１２の上下の部分で形状を異ならせるための形状調整手段２９（図1参照、図２では図示省略）であることにより、重心位置偏移手段２６を容易に形成することができ、アルバム１２の重心位置ＧＴを容易に偏移させることができる。
【００４３】
具体的には、形状調整手段２９は、中心線ＭＬを基準としてアルバム１２の下側の部位の表面積が上側の部位の表面積よりも大きくなるように、アルバム１２の中心線ＭＬの上下で形状を調整する。このため、アルバム１２の重心位置ＧＴが中心線ＭＬよりも下側に位置することになる。
【００４４】
重心位置偏移手段２６、質量調整手段２７及び形状調整手段２９の一例として、例えば、アルバム１２が立設した状態において、中心線ＭＬに関してアルバム１２の上下の部分で形状を異ならせるための切欠き部２８であることが好ましい。
【００４５】
表紙部１４、裏表紙部１６及びシート部１８の中心線ＭＬよりも上側に切欠き部２８を形成することにより、その部分の質量が削減する。そして、重心位置ＧＴは、切欠き部２６が形成されていない下側へ移動する。また、重心位置偏移手段２６を切欠き部２８とすることにより、部品点数が増加せず、低コストを実現できる。
【００４６】
切欠き部２８とは、表紙部１４、裏表紙部１６及びシート部１８の一部を切り取り除去するための機能を有する。
【００４７】
なお、図示しないが、切欠き部２８に替えて、開口部又は貫通孔を形成してもよい。開口部又は貫通孔を形成することにより、その部分の質量が削減したり、形状が変更する。これにより、中心線ＭＬの上下の部分で形状又は質量が異なるようになる。
【００４８】
また、図示しないが、切欠き部２８に替えて、質量又は表面積を削減するための傾斜部、角部又は湾曲部で形成してもよい。
【００４９】
ここでは、切欠き部２８は、一例として、表紙部１４、裏表紙部１６及びシート部１８の水平方向に延びる中心線ＭＬよりも上側の位置に形成されている。これにより、アルバム１２の重心位置ＧＴが中心線ＭＬよりも下側に偏移する。
【００５０】
重心位置偏移手段２６の他の構成として、例えば、表紙部１４、裏表紙部１６及びシート部１８の厚み寸法が高さ方向の下側に向かうにつれて厚くなるようにすることで、アルバム１２の重心位置が中心線ＭＬよりも下方に移動する。
【００５１】
重心位置偏移手段２６の他の構成として、表紙部１４、裏表紙部１６及びシート部１８に貫通孔や開口部を形成することで、その部分の質量が低下する。これにより、アルバム１２の重心位置を制御できる。すなわち、中心線ＭＬよりも上側に貫通孔や開口部を形成することにより、中心線ＭＬよりも下側にアルバム１２の重心位置ＧＴが移動する。
【００５２】
重心位置偏移手段２６の他の構成として、アタッチメント等の付属部品を中心線ＭＬよりも下側の位置に取り付けてもよい。これにより、付属部品の質量の分だけ、アルバム１２の下側の部位が部分的に重くなり、アルバム１２の重心位置ＧＴが中心線ＭＬよりも下側に移動する。
【００５３】
なお、付属部品の一例として、表紙部１４、裏表紙部１６及びシート部１８に情報媒体２４を収納する収納部を設けてもよい。前記ポケット部２２は、当該収納部の一態様例として、アルバム１２の重心位置ＧＴを中心線ＭＬよりも下側の位置に下げる機能を有する。これにより、ポケット部２４は、情報媒体の収納機能と、重心位置偏移機能と、の２つの機能を兼備する。
【００５４】
シート部１８は、複数の谷折りと山折りを交互に繰り返して一体的に形成されている。谷折り及び山折りの数が多くなればなるほど、シート部１８のシート面の数が多くなり、所定の情報を表示する領域が多くなる。これにより、情報表示機能が高くなる。
【００５５】
具体的には、図２（ａ）に示すように、各シート部１８の正面部１８Ａの中心線ＭＬよりも上側の部位に第１の情報表示領域１９Ａが形成され、中心線ＭＬよりも下側の部位に第２の情報表示領域１９Ｂが形成されている。
【００５６】
各シート部１８の正面部１８Ａは、シート面と称される。
【００５７】
また、図２（ｂ）に示すように、各シート部１８の背面部１８Ｂには、同様にして、中心線ＭＬよりも上側の部位に第３の情報表示領域１９Ｃ、中心線ＭＬよりも下側の部位に第４の情報表示領域１９Ｄがそれぞれ形成されている。このように、各シート部１８の両面に複数の情報表示領域１９Ａ〜１９Ｄが形成されることにより、アルバム１２の情報表示機能及び装飾機能が向上する。
【００５８】
各シート部１８の背面部１８Ｂは、シート面と称される。
【００５９】
本実施形態では、シート部１８は、一体形成されたものが谷折り及び山折りを交互に繰り返して折り曲げられて構成されている。このため、シート部１８の谷折りの部位に折り目が形成され、山折りの部位に折り目が形成され、全体として蛇腹状に形成されている。
【００６０】
表紙部１４及び裏表紙部１６は、相互に固定可能な位置決め手段４０、４２を有している。これにより、表紙部１４及び裏表紙部１６は、相互に固定されて維持される。そして、表紙部１４及び裏表紙部１６は位置決め手段４０、４２で相互に固定されることにより、例えばシート部１８の折り畳んだ状態又は表紙部１４と裏表紙部１６とが近接した状態で、表紙部１４及び裏表紙部１６の位置関係が維持される。この結果、表紙部１４と裏表紙部１６との間が不意に開かず、その状態が維持される。また、アルバム１２が立設した状態で、表紙部１４と裏表紙部１６の位置を相互に固定することでその姿勢を維持できる。
【００６１】
表紙部１４及び裏表紙部１６は、図１に示すようにアルバム１２が閉じた状態で相互に位置決めされている態様でもよく、又は図２に示すようにアルバム１２が開いて立設している状態で相互に位置決めされる態様でもよい。
【００６２】
なお、位置決め手段４０、４２は、例えば、図１に示すような紐状部材でもよく、また、輪状に形成されたゴム、磁石、リングやその他の係合手段を用いてもよい。
【００６３】
また、位置決め手段４０、４２として用いる磁石は、表紙部１４及び裏表紙部１６に中心線ＭＬよりも下側に設けられることが好ましい。これにより、磁石が重心位置偏移手段２６又は質量調整手段２７の一態様としての機能を有し、アルバム１２の重心位置ＧＴが中心線ＭＬよりも下側に位置するように作用する。
【００６４】
次に、本考案の第１実施形態に係る情報表示媒体１０の作用について説明する。
【００６５】
図１乃至図３に示すように、表紙部１４と、裏表紙部１６と、表紙部１４と裏表紙部１６に接続するシート部１８と、を有し、シート部１８が全体として蛇腹状に形成されたアルバム１２であって、当該アルバム１２が立設した状態で水平方向に延びる中心線ＭＬよりも重心位置ＧＴを下側に位置させるための重心位置偏移手段２６を設けたことにより、アルバム１２の重心位置が中心線ＭＬよりも低くなり、アルバム１２を安定して立設させることができる。
【００６６】
特に、アルバム１２が全体として蛇腹状に構成されているため、強度不足で不安定になりがちであるが、アルバム１２の重心位置ＧＴを制御することで立設時の安定性を確保できる。
【００６７】
このように、アルバム１２は、例えば本のように開閉可能にして情報を閲覧することができるとともに、立設させたときの安定性も維持することができ、室内又は屋外でのインテリアとしての機能を有することになる。
【００６８】
また、シート部１８が蛇腹状に形成されているため、折り目によって区画された多くのシート面又は表示領域を形成することができる。これにより、シート部１８の各シート面又は表示領域に異なる情報を表示することができ、情報表示機能が向上する。また、シート部１８の正面部１８Ａと背面部１８Ｂに異なる情報を表示することで、情報のカテゴライズ化が可能になり、装飾性が高くなる。
【００６９】
ここで、表紙部１４及び裏表紙部１６の厚み寸法が、シート部１８の厚み寸法の５倍以上１０倍以下に設定されていることにより、表紙部１４及び裏表紙部１６の設置面に対する設置面積が大きくなる。これにより、アルバム１２が立設した状態でその姿勢の安定性が向上する。
【００７０】
特に、アルバム１２の表紙部１４、裏表紙部１６及びシート部１８に重心位置偏移手段２６を設け、かつ表紙部１４及び裏表紙部１６の厚み寸法をシート部１８の厚み寸法の５倍以上１０倍以下に設定したことによる２つの相乗効果により、アルバム１２が立設した状態における姿勢の安定性が格段に増す。
【００７１】
重心位置偏移手段２６は、アルバム１２が立設した状態で水平方向に延びる中心線ＭＬを基準としてアルバム１２の上下の部分で形状を異ならせるための切欠き部２８であることにより、切欠き部２８によって容易にその部分の質量を削減できる。これにより、アルバム１２の重心位置を容易に偏移させることができる。また、部品点数が増加せず、低コストを実現できる。
【００７２】
次に、本考案の第２実施形態に係る情報表示媒体について説明する。第１実施形態の構成と重複する構成には同符号を付し、その説明を適宜省略する。なお、重心位置偏移手段２６と、表紙部１４及び裏表紙部１６の厚み寸法の肉厚寸法は、第１実施形態の構成と同様である。
【００７３】
図４に示すように、アルバム１２は、表紙部１４及び裏表紙部１６を含め、シート部１８の一方の側面端部側に固定手段３０を有している。固定手段３０は、例えば、各シート部１８を貫通して設けられる挿入部３２と、挿入部３２の両端部を挟持可能な固定部本体３４と、を有している。
【００７４】
固定手段３０は、周知のファイルリングのように、２つのパーツが組み立てられて構成されていてもよく、１つのパーツで開閉可能に構成され挿入部３２が開放する構成でもよい。
【００７５】
また、固定手段３０として、シート部１８の端部を外側から挟み込むためのクリップのように構成してもよい。
【００７６】
また、固定手段３０として、表紙部１４、裏表紙部１６又はシート部１８に取り付けられた磁石でもよい。磁石のＮ極とＳ極で相互に磁力で引きつけることにより、アルバム１２の一部が閉塞可能に構成できる。
【００７７】
固定手段３０は、シート部１８に対して着脱可能に設けられている。これにより、固定手段３０をアルバム１２から取り外すことができ、使い勝手が良くなる。
【００７８】
図４（ａ）に示すように、シート部１８の一方の側面端部側に固定手段３０が設けられている構成では、シート部１８の一方の側面端部側が開かず、他方の側面端部側だけが開いて、シート部１８の正面部１８Ａだけが露出して視認できる。
【００７９】
図４（ｂ）に示すように、シート部１８の他方の側面端部側に固定手段３０が設けられている構成では、シート部１８の他方の側面端部側が開かず、一方の側面端部側だけが開いて、シート部１８の背面部１８Ｂだけが露出して視認できる。
【００８０】
使い方の一例として、シート部１８の一方の側面端部側と、他方の側面端部側とに、用途別の異なる情報媒体を表示しておき、用途に応じて固定手段３０を設ける位置を変更することにより、用途に適った情報を視認可能にすることができる。
【００８１】
次に、本考案の第３実施形態に係る情報表示媒体について説明する。第１実施形態の構成と重複する構成には同符号を付し、その説明を適宜省略する。なお、重心位置偏移手段２６と、表紙部１４及び裏表紙部１６の厚み寸法の肉厚寸法は、第１実施形態の構成と同様である。
【００８２】
図５に示すように、アルバム１２は、各シート部１８が分離して形成されており、例えば蝶番のような構成のコネクタ部３６の挿入孔３８に各シート部１８の側面端部が着脱可能に挿入されて構成されている。このコネクタ部３６により２つのシート部１８が接続され、かつ開閉可能な構成になる。
【００８３】
各シート部１８がコネクタ部３６に着脱自在に挿入されて全体のアルバム１８が構成されることにより、各シート部１８の個数を適宜調整することができる。すなわち、多く個数のシート部１８が必要な場合には、コネクタ部３６の個数を増やして、シート部１８同士を接続する。他方、シート部１８の個数を減らしたい場合には、減らす分のシート部１８とそのコネクタ部３６を取り外す。これにより、シート部１８の個数を自在に調整することができる。
【００８４】
なお、この構成では、コネクタ部３６が中心線ＭＬよりも下側の部位に配置されれば、コネクタ部３６自体が重心位置偏移手段２６又は質量調整手段２７として機能する。
【００８５】
なお、各実施形態は、本考案の一実施態様を示したに過ぎず、本考案がこれらに限られるものではない。本実施形態に対する設計変更程度の差異は、当然に、本考案の技術的思想の範囲内に含まれる。
【符号の説明】
【００８６】
１０    情報表示媒体
１２    アルバム
１４    表紙部
１６    裏表紙部
１８    シート部
２０    貫通孔
２２    ポケット部
２４    情報媒体
２６    重心位置偏移手段
２７    質量調整手段
２８    切欠き部
２９    形状調整手段
３０    固定手段
３２    挿入部
３４    固定部本体
３６    コネクタ部
３８    挿入孔
４０、４２    位置決め手段
Ｘ      表紙部の肉厚
Ｙ      裏表紙部の肉厚
Ｚ      シート部の肉厚
ＭＬ    中心線
【図１】
0003216351.tif 000003
【図２】
0003216351.tif 000004
【図３】
0003216351.tif 000005
【図４】
0003216351.tif 000006
【図５】
0003216351.tif 000007